Podtech/llm-jp-corpus-v4-ja_patent huggingface dataset:
【誤訳訂正書】
【提出日】平成27年7月15日(2015.7.15)
【誤訳訂正１】
【訂正対象書類名】明細書
【訂正対象項目名】００１２
【訂正方法】変更
【訂正の内容】
【００１２】
本発明は、パーソナルケア組成物の調製方法に関し、
本組成物は、モノアルキルアミドアミン塩カチオン性界面活性剤及びジアルキルカチオン性界面活性剤を含むカチオン性界面活性剤系と、高融点脂肪化合物と、水性キャリアと、を含み、
本方法は、
（１）界面活性剤と、高融点脂肪化合物と、を含む油相を調製する工程であって、油相の温度が高融点脂肪化合物の融点よりも高い、調製工程と、
（２）水性キャリアを含む水相を調製する工程であって、水相の温度が高融点脂肪化合物の融点よりも低い、調製工程と、
（３）油相と水相とを混合して、エマルションを形成する工程と、を含み、
混合する工程（３）は以下の詳細工程：
（３−１）１．０×１０２Ｊ／ｍ３以上のエネルギー密度を有する高剪断場に油相又は水相のいずれかを供給する工程と、
（３−２）その場にもう一方の相を直接供給する工程と、
（３−３）エマルションを形成する工程と、を含み、
混合する工程（３）は、回転部材を有するホモジナイザーを使用することにより行われ、
油相は、油相の重量に基づいて０〜５０重量％の水性キャリアを含有し、
組成物は、可溶性塩を更に含み、
モノアルキルアミドアミン塩カチオン性界面活性剤は、酸とモノアルキルアミドアミンとの塩であり、該塩はｌ−グルタミン酸、乳酸、塩酸、リンゴ酸、コハク酸、酢酸、フマル酸、酒石酸、クエン酸、ｌ−グルタミン塩酸、マレイン酸、及びそれらの混合物から成る群から選択され、
可溶性塩とモノアルキルアミドアミン塩カチオン性界面活性剤のための酸との重量比は、１：０．５〜１：１０であり、
モノアルキルアミドアミン塩カチオン性界面活性剤とジアルキルカチオン性との重量比が１．５：１〜４：１であり、かつ
ジアルキルカチオン性界面活性剤は、１６〜２４個の炭素原子の２つの長鎖アルキルを有する。
【誤訳訂正２】
【訂正対象書類名】明細書
【訂正対象項目名】００６３
【訂正方法】変更
【訂正の内容】
【００６３】
可溶性塩とモノアルキルアミン塩カチオン性界面活性剤のための酸との重量比は、約１：０．５〜約１：１０であるのが好ましく、より好ましくは約１：１〜約１：８、更により好ましくは約１：１．５〜約１：５である。
【誤訳訂正３】
【訂正対象書類名】特許請求の範囲
【訂正対象項目名】全文
【訂正方法】変更
【訂正の内容】
【特許請求の範囲】
【請求項１】
パーソナルケア組成物の調製方法であって、
前記組成物が、モノアルキルアミドアミン塩カチオン性界面活性剤及びジアルキルカチオン性界面活性剤を含むカチオン性界面活性剤系と、高融点脂肪化合物と、水性キャリアと、を含み、
本方法が、
（１）界面活性剤と、高融点脂肪化合物と、を含む油相を調製する工程であって、前記油相の温度が前記高融点脂肪化合物の融点よりも高い、調製工程と、
（２）水性キャリアを含む水相を調製する工程であって、前記水相の前記温度が前記高融点脂肪化合物の前記融点よりも低い、調製工程と、
（３）前記油相と前記水相とを混合して、エマルションを形成する工程と、を含み、
前記混合する工程（３）が、以下の詳細工程：
（３−１）１．０×１０２Ｊ／ｍ３以上のエネルギー密度を有する高剪断場の中に前記油相又は前記水相のいずれかを供給する工程と、
（３−２）前記場にもう一方の相を直接供給する工程と、
（３−３）エマルションを形成する工程と、を含み、
前記混合する工程（３）が、回転部材を有するホモジナイザーを使用することにより行われ、
前記油相が、前記油相の重量に基づいて０重量％〜５０重量％の前記水性キャリアを含有し、
前記組成物が、可溶性塩を更に含み、
前記モノアルキルアミドアミン塩カチオン性界面活性剤は、酸とモノアルキルアミドアミンとの塩であり、該塩はｌ−グルタミン酸、乳酸、塩酸、リンゴ酸、コハク酸、酢酸、フマル酸、酒石酸、クエン酸、ｌ−グルタミン塩酸、マレイン酸、及びそれらの混合物から成る群から選択され、
前記可溶性塩と前記モノアルキルアミドアミン塩カチオン性界面活性剤のための酸との重量比は、１：０．５〜１：１０であり、
前記モノアルキルアミドアミン塩カチオン性界面活性剤と前記ジアルキルカチオン性界面活性剤との重量比が１．５：１〜４：１であり、かつ
前記ジアルキルカチオン性界面活性剤は、１６〜２４個の炭素原子の２つの長鎖アルキルを有する、方法。
【請求項２】
前記混合する工程（３）が、以下の詳細工程：
（３−１）１．０×１０２Ｊ／ｍ３以上のエネルギー密度を有する高剪断場に前記水相を供給する工程と、
（３−２）前記場に前記油相を直接供給する工程と、
（３−３）エマルションを形成する工程と、を含む、請求項１に記載の方法。
【請求項３】
前記高剪断場が１．０×１０３Ｊ／ｍ３より大のエネルギー密度を有する、請求項１に記載の方法。
【請求項４】
前記２つの相が、最初の合流後、０．５２秒以内で前記高剪断場に到達する、請求項１に記載の方法。
【請求項５】
前記回転部材を有するホモジナイザーが、ローターステーター・ホモジナイザーである、請求項１に記載の方法。
【請求項６】
前記エマルションの前記温度が、前記高融点脂肪化合物の融点よりも２℃〜６０℃低い、請求項１に記載の方法。
【請求項７】
油相中の前記水の濃度が、前記油相の重量に基づいて最大で４０重量％である、請求項１に記載の方法。
【請求項８】
油相中の前記水の濃度が、前記油相の重量に基づいて最大で２５重量％である、請求項１に記載の方法。
【請求項９】
前記エマルションが、カチオン性界面活性剤と、高融点脂肪化合物と、水性キャリアとを含むゲルマトリックスである、請求項１に記載の方法。
【請求項１０】
前記カチオン性界面活性剤と前記高融点脂肪化合物との重量比が、１：１〜１：４の範囲内である、請求項９に記載の方法。
【請求項１１】
前記可溶性塩が、ＥＤＴＡ二ナトリウム、塩化ナトリウム、クエン酸ナトリウム、炭酸ナトリウム、及びこれらの混合物からなる群から選択される、請求項１に記載の方法。
【請求項１２】
前記可溶性塩が、前記水相に加えられる、請求項１に記載の方法。
【請求項１３】
請求項１に記載の方法により作製される組成物。
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
対象者における呼吸器疾患の治療または予防に使用するための、ビフィドバクテリウム・ラクティスＢＬ０４（Ｂｉｆｉｄｏｂａｃｔｅｒｉｕｍ  ｌａｃｔｉｓ  ＢＬ０４）、および／またはビフィドバクテリウム・ラクティスＢＬ０４（Ｂｉｆｉｄｏｂａｃｔｅｒｉｕｍ  ｌａｃｔｉｓ  ＢＬ０４）の発酵産物、および／またはビフィドバクテリウム・ラクティスＢＬ０４（Ｂｉｆｉｄｏｂａｃｔｅｒｉｕｍ  ｌａｃｔｉｓ  ＢＬ０４）の細胞ライセートを含む組成物。
【請求項２】
呼吸器疾患が上気道疾患である、請求項１に記載の使用するための組成物。
【請求項３】
呼吸器疾患が下気道疾患である、請求項１に記載の使用するための組成物。
【請求項４】
呼吸器疾患が、扁桃腺炎、中耳炎、鼻炎、鼻副鼻腔炎、静脈洞炎、鼻咽頭炎、鼻咽喉炎、感冒、咽頭炎、咽頭蓋炎、声門上炎、喉頭炎、喉頭気管炎、気管炎、喉の痛み、くしゃみ、鼻詰まり、鼻水、および咳からなる群のうちの１つまたは複数から選択される、請求項１または２に記載の使用するための組成物。
【請求項５】
呼吸器疾患が、気管支炎、急性気管支炎、肺炎、肺膿瘍、胸部うっ血を伴う咳および喘鳴を伴う咳からなる群のうちの１つまたは複数から選択される、請求項１または３に記載の使用するための組成物。
【請求項６】
対象者における顆粒球の食細胞活性が増加する、請求項１〜５のいずれか一項に記載の使用するための組成物。
【請求項７】
対象者における単核白血球の食細胞活性が増加する、請求項１〜６のいずれか一項に記載の使用するための組成物。
【請求項８】
好ましくは、ラクトバシラス（Ｌａｃｔｏｂａｃｉｌｌｕｓ）属、ストレプトコッカス（Ｓｔｒｅｐｔｏｃｏｃｃｕｓ）属、エンテロコッカス（Ｅｎｔｅｒｏｃｏｃｃｕｓ）属
、ビフィドバクテリウム（Ｂｉｆｉｄｏｂａｃｔｅｒｉｕｍ）属、およびサッカロミケス（Ｓａｃｃｈａｒｏｍｙｃｅｓ）属から選択される、少なくとも１つの更なるプロバイオティクス微生物を含む、請求項１〜７のいずれか一項に記載の使用するための組成物。
【請求項９】
対象者の呼吸器疾患の治療または予防のための組成物の製造におけるビフィドバクテリウム・ラクティスＢＬ０４（Ｂｉｆｉｄｏｂａｃｔｅｒｉｕｍ  ｌａｃｔｉｓ  ＢＬ０４）、および／またはビフィドバクテリウム・ラクティスＢＬ０４（Ｂｉｆｉｄｏｂａｃｔｅｒｉｕｍ  ｌａｃｔｉｓ  ＢＬ０４）の発酵産物、および／またはビフィドバクテリウム・ラクティスＢＬ０４（Ｂｉｆｉｄｏｂａｃｔｅｒｉｕｍ  ｌａｃｔｉｓ  ＢＬ０４）の細胞ライセートの使用。
【請求項１０】
呼吸器疾患が上気道疾患である、請求項９に記載の使用。
【請求項１１】
呼吸器疾患が下気道疾患である、請求項９に記載の使用。
【請求項１２】
呼吸器疾患が、扁桃腺炎、中耳炎、鼻炎、鼻副鼻腔炎、静脈洞炎、鼻咽頭炎、鼻咽喉炎、感冒、咽頭炎、咽頭蓋炎、声門上炎、喉頭炎、喉頭気管炎、気管炎、喉の痛み、くしゃみ、鼻詰まり、鼻水、および咳からなる群のうちの１つまたは複数から選択される、請求項９または１０に記載の使用。
【請求項１３】
呼吸器疾患が、気管支炎、急性気管支炎、肺炎、肺膿瘍、胸部うっ血を伴う咳および喘鳴を伴う咳からなる群のうちの１つまたは複数から選択される、請求項９または１１に記載の使用。
【請求項１４】
対象者における顆粒球の食細胞活性が増加する、請求項９〜１３のいずれか一項に記載の使用。
【請求項１５】
対象者における単核白血球の食細胞活性が増加する、請求項９〜１４のいずれか一項に記載の使用。
【請求項１６】
使用が予防である、請求項９〜１５のいずれか一項に記載の使用。
【請求項１７】
組成物が、好ましくは、ラクトバシラス（Ｌａｃｔｏｂａｃｉｌｌｕｓ）属、ストレプトコッカス（Ｓｔｒｅｐｔｏｃｏｃｃｕｓ）属、エンテロコッカス（Ｅｎｔｅｒｏｃｏｃｃｕｓ）属、ビフィドバクテリウム（Ｂｉｆｉｄｏｂａｃｔｅｒｉｕｍ）属、およびサッカロミケス（Ｓａｃｃｈａｒｏｍｙｃｅｓ）属から選択される、少なくとも１つの更なるプロバイオティクス微生物を含む、請求項９〜１６のいずれか一項に記載の使用。
【請求項１８】
対象者の薬物摂取量を変更するために使用されるビフィドバクテリウム・ラクティスＢＬ−０４（Ｂｉｆｉｄｏｂａｃｔｅｒｉｕｍ  ｌａｃｔｉｓ  ＢＬ−０４）、および／またはビフィドバクテリウム・ラクティスＢＬ−０４（Ｂｉｆｉｄｏｂａｃｔｅｒｉｕｍ  ｌａｃｔｉｓ  ＢＬ−０４）の発酵産物、および／またはビフィドバクテリウム・ラクティスＢＬ−０４（Ｂｉｆｉｄｏｂａｃｔｅｒｉｕｍ  ｌａｃｔｉｓ  ＢＬ−０４）の細胞ライセートを含む組成物。
【請求項１９】
対象者の薬物摂取量を変更するための薬剤の製造におけるビフィドバクテリウム・ラクティスＢＬ−０４（Ｂｉｆｉｄｏｂａｃｔｅｒｉｕｍ  ｌａｃｔｉｓ  ＢＬ−０４）、および／またはビフィドバクテリウム・ラクティスＢＬ−０４（Ｂｉｆｉｄｏｂａｃｔｅｒｉｕｍ  ｌａｃｔｉｓ  ＢＬ−０４）の発酵産物、および／またはビフィドバクテリウム・ラクティスＢＬ−０４（Ｂｉｆｉｄｏｂａｃｔｅｒｉｕｍ  ｌａｃｔｉｓ  ＢＬ−０４
）の細胞ライセートの使用。
【請求項２０】
薬物が風邪またはインフルエンザの薬物である、請求項１８に記載の組成物、または請求項１９に記載の使用。
【請求項２１】
本明細書中で実施例および図を参照して一般的に教示される方法、使用、または組成物。
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
粗プロピレンオキシド流からプロピレンオキシドを分離する方法であって、
粗プロピレンオキシド流を抽出蒸留塔に通過させる工程を含み、
前記蒸留塔を、２５／０．１４５０超から５０／０．１４５０ｋＰａ（ゲージ圧力）（２５超から５０ｐｓｉｇ）までの範囲の圧力で操作することを特徴とする方法。
【請求項２】
前記抽出蒸留塔において抽出溶媒としてＣ８〜Ｃ２０パラフィンを使用する請求項１に記載の方法。
【請求項３】
前記蒸留塔塔頂部が水洗浄ドラムを含む請求項１に記載の方法。
【請求項４】
塔頂部留出物の一部を静的ミキサ中で水及びパラフィン溶媒と混合して混合物を形成し、該混合物を水洗浄ドラムに供給する請求項３に記載の方法。
【請求項５】
水洗浄ドラムが、混合物の液滴が合体し、且つ塔頂部有機相及び塔底部水相において分離することを可能にし、
塔頂部有機相を抽出蒸留塔塔頂部に還流の一部として供給し、且つ塔底部水相をさらなる処理のために除去する請求項４に記載の方法。
【請求項６】
粗プロピレンオキシド流が、粗プロピレンオキシド流の全組成物に対して０．００１〜０．５質量％のメタノールを含む請求項１に記載の方法。
【請求項７】
５０ｐｐｍ未満のホルムアルデヒドを含む流れを生成する請求項１に記載の方法。
【請求項８】
３０ｐｐｍ未満のアセトアルデヒドを含む流れを生成する請求項１に記載の方法。
【請求項９】
再沸器を含む抽出蒸留塔を７０〜１５０℃の範囲の温度で操作する請求項１に記載の方法。
【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
オキアミ油から得られるｎ３−ＦＡ含有リン脂質、及び
ｎ３−ＦＡ含有トリグリセリドを含有する魚油
を含む水中油型エマルションを含む、非経口的に適用可能な医薬組成物であり、
該組成物は少なくとも１種の薬物を更に含み、そして、該少なくとも１種の薬物の一部は該エマルションの油相に存在し、また同一の該少なくとも１種の薬物の一部は水溶性の塩で該エマルションの水相に存在する、医薬組成物。
【請求項２】
オキアミ油から得られる前記リン脂質が有効な量で存在して、薬物を可溶化する、請求項１に記載の組成物。
【請求項３】
前記組成物は敗血症中に内毒素中毒の治療での使用に適している、請求項１に記載の組成物。
【請求項４】
前記組成物は炎症、酸化的ストレス、免疫調節及び／又は虚血性イベントを伴う重要臓器への薬物副作用を緩和するのに適している、請求項１に記載の組成物。
【請求項５】
前記組成物は高親油性薬物の中毒血中濃度を有するヒトを治療するのに適している、請求項１に記載の組成物。
【請求項６】
前記ｎ３−ＦＡ含有トリグリセリドを含有する魚油が前記組成物の質量に基づいて、５％乃至１８％の量で存在する、請求項１に記載の組成物。
【請求項７】
前記ｎ３−ＦＡ含有トリグリセリドを含有する魚油中、トリグリセリドとして表されるＥＰＡ及びＤＨＡの合計が少なくとも４５％であり、またトリグリセリドとして表される総ｎ３−ＦＡが少なくとも６０％である、請求項６に記載の組成物。
【請求項８】
中鎖脂肪酸トリグリセリドを更に含む、請求項１に記載の組成物。
【請求項９】
前記組成物が植物油を含有しない、請求項１に記載の組成物。
【請求項１０】
前記オキアミ油は有効な量で存在して、該オキアミ油の代わりに卵レシチンを含有する同一のエマルションの物理的安定性と比べてエマルションの物理的安定性を高める、請求項１に記載の組成物。
【請求項１１】
前記オキアミ油は有効な量で存在して、該オキアミ油の代わりにα―トコフェロールを含有する同一のエマルションの化学安定性と比べてエマルションの化学安定性を高める、請求項１に記載の組成物。
【請求項１２】
水中油型エマルションにおいてオキアミ油及び魚油から実質的になる、非経口的に適用可能な医薬組成物であり、
該オキアミ油はｎ３−ＦＡ含有リン脂質を含有し、
該魚油はｎ３−ＦＡ含有トリグリセリドを含有し、そして
該組成物は少なくとも１種の薬物を更に含み、そして、該少なくとも１種の薬物の一部は該エマルションの油相に存在し、また同一の該少なくとも１種の薬物の一部は水溶性の塩で該エマルションの水相に存在する、医薬組成物。
【請求項１３】
前記オキアミ油は該オキアミ油の質量に基づいて、２０乃至６０％の量でオメガ３脂肪酸含有リン脂質を含有する、請求項１２に記載の組成物。
【請求項１４】
前記オメガ３脂肪酸含有リン脂質は該リン脂質の総脂肪酸含有量に基づいて、１０乃至２０％の量でＤＨＡを含有する、請求項１３に記載の組成物。
【請求項１５】
前記オキアミ油は該オキアミ油の質量に基づいて、３０％以下の量でオメガ３脂肪酸含有トリグリセリドを含有する、請求項１２に記載の組成物。
【請求項１６】
前記オメガ３脂肪酸含有リン脂質は該リン脂質の総脂肪酸含有量に基づいて、２０乃至４０％の量でＥＰＡを含有する、請求項１３に記載の組成物。
【請求項１７】
前記オキアミ油は組成物の総質量に基づいて、１％乃至２０％の量で存在する、請求項１２に記載の組成物。
【請求項１８】
前記水中油型エマルション中、油と水との質量比が１：９９乃至２０：８０である、請求項１２に記載の組成物。
【請求項１９】
前記ｎ３−ＦＡ含有トリグリセリドを含有する魚油が前記組成物の質量に基づいて、５％乃至１８％の量で存在する、請求項１２に記載の組成物。
【請求項２０】
前記ｎ３−ＦＡ含有トリグリセリドを含有する魚油中、トリグリセリドとして表されるＥＰＡ及びＤＨＡの合計が少なくとも４５％であり、またトリグリセリドとして表される総ｎ３−ＦＡが少なくとも６０％である、請求項１９に記載の組成物。
【請求項２１】
中鎖脂肪酸トリグリセリドを更に含む、請求項１２に記載の組成物。
【請求項２２】
前記組成物が植物油を含有しない、請求項１２に記載の組成物。
【請求項２３】
水中油型エマルション中にオキアミ油を含む、非経口的に適用可能な医薬組成物であり、
該オキアミ油はｎ３−ＦＡ含有リン脂質を含有し、
該組成物は植物油を含有せず、
該組成物は少なくとも１種の薬物を更に含み、そして、該少なくとも１種の薬物の一部は該エマルションの油相に存在し、また同一の該少なくとも１種の薬物の一部は水溶性の塩で該エマルションの水相に存在する、医薬組成物。
【請求項２４】
ｎ３−ＦＡ含有トリグリセリドを含有する魚油を更に含み、
該ｎ３−ＦＡ含有トリグリセリドを含有する魚油が前記組成物の質量に基づいて、５％乃至１８％の量で存在する、請求項２３に記載の組成物。
【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
以下の式の化合物
【化１】
2014517035.tif 000001
（式中、
Ｒ１は
【化２】
2014517035.tif 000002
であり；
Ｒ２は水素、２，２−ジメチル−プロピオニルオキシメチル、またはベンジルであり、ここで、ベンジルは、１〜２個のフッ素原子、１〜３個のフッ素原子で置換されていてもよい−Ｃ１−Ｃ３アルキル、または−Ｃ１−Ｃ３アルコキシで置換されていてもよく；
Ｒ３は水素、２，２−ジメチル−プロピオニルオキシメチル、またはベンジルであり、ここで、ベンジルは、１〜２個のフッ素原子、１〜３個のフッ素原子で置換されていてもよい−Ｃ１−Ｃ３アルキル、または−Ｃ１−Ｃ３アルコキシで置換されていてもよく；
Ｒ４は水素、（２Ｓ）−２−アミノプロパノイル、（２Ｓ）−２−アミノ−４−メチルスルファニル−ブタノイル、（２Ｓ）−２−アミノ−４−メチル−ペンタノイル、または２−アミノアセチルであり；
Ｒ５は１〜３個のフッ素原子、−ＮＨ２、またはシクロプロピルで置換されていてもよい−Ｃ１−Ｃ３アルキルであり；
但し、Ｒ２および／またはＲ３が水素でない場合、Ｒ４は水素であり；
但し、硫黄原子が、Ｓ立体配置におけるビシクロ［３．１．０］ヘキサン環系に結合される場合、Ｒ５は水素であってもよい）
またはその薬学的に許容可能な塩。
【請求項２】
Ｒ１が
【化３】
2014517035.tif 000003
であり；
Ｒ２が水素、２，２−ジメチル−プロピオニルオキシメチル、またはベンジルであり、ここで、ベンジルは１〜２個のフッ素原子、１〜３個のフッ素原子で置換されていてもよい−Ｃ１−Ｃ３アルキル、または−Ｃ１−Ｃ３アルコキシで置換されていてもよく；
Ｒ３が水素、２，２−ジメチル−プロピオニルオキシメチル、またはベンジルであり、ここで、ベンジルは、１〜２個のフッ素原子、１〜３個のフッ素原子で置換されていてもよい−Ｃ１−Ｃ３アルキル、または−Ｃ１−Ｃ３アルコキシで置換されていてもよく；
Ｒ４が水素、（２Ｓ）−２−アミノプロパノイル、（２Ｓ）−２−アミノ−４−メチルスルファニル−ブタノイル、（２Ｓ）−２−アミノ−４−メチル−ペンタノイル、または２−アミノアセチルであり；
Ｒ５が１〜３個のフッ素原子、−ＮＨ２、またはシクロプロピルで置換されていてもよい−Ｃ１−Ｃ３アルキルであり；
但し、Ｒ２および／またはＲ３が水素でない場合、Ｒ４は水素である、請求項１に記載の化合物、またはその薬学的に許容可能な塩。
【請求項３】
Ｒ２が水素、２，２−ジメチル−プロピオニルオキシメチル、または１〜２個のフッ素原子、−ＣＦ３、もしくは−ＯＣＨ３で置換されていてもよいベンジルであり；
Ｒ３が水素、２，２−ジメチル−プロピオニルオキシメチル、または１〜２個のフッ素原子、−ＣＦ３、もしくは−ＯＣＨ３で置換されていてもよいベンジルである、請求項１または２に記載の化合物、あるいはその薬学的に許容可能な塩。
【請求項４】
Ｒ１が
【化４】
2014517035.tif 000004
である、請求項１〜３のいずれか一項に記載の化合物、またはその薬学的に許容可能な塩。
【請求項５】
Ｒ２が水素である、請求項１〜４のいずれか一項に記載の化合物、またはその薬学的に許容可能な塩。
【請求項６】
Ｒ３が水素である、請求項１〜５のいずれか一項に記載の化合物、またはその薬学的に許容可能な塩。
【請求項７】
Ｒ４が水素である、請求項１〜６のいずれか一項に記載の化合物、またはその薬学的に許容可能な塩。
【請求項８】
請求項１〜７のいずれか一項に記載の化合物、またはその薬学的に許容可能な塩と、薬学的に許容可能な担体、希釈剤、または賦形剤とを含む、医薬組成物。
【請求項９】
請求項１〜７のいずれか一項に記載の化合物、またはその薬学的に許容可能な塩を含む、双極性障害、統合失調症、および全般性不安障害からなる群から選択される精神疾患を治療する医薬組成物。
【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
ＢＣＡＴ１阻害剤及び薬学的に許容される担体を含む、自己免疫疾患、がん、並びにＲＡＮＫＬの過剰発現及び骨量減少を特徴とする病態よりなる群から選択される少なくとも一種の疾患を治療するための医薬組成物。
【請求項２】
前記ＢＣＡＴ１阻害剤が、式（１）：
【化１】
2014517037.tif 000001
（式中、Ｒ１は水素、直鎖又は環状アルキル基、アルキレン基、置換又は非置換の芳香環、アルコキシ又はアルキルアミノ基であり、Ｘ＋が陽イオンを表す）で示される化合物群から選択される、請求項１に記載の医薬組成物。
【請求項３】
前記陽イオンが、Ｈ＋、Ｎａ＋、Ｋ＋、及びＮＨ４＋からなる群より選択される、請求項２に記載の医薬組成物。
【請求項４】
前記ＢＣＡＴ１阻害剤が、４−メチル−５−オキソヘキサン酸又はその塩である、請求項１〜３のいずれか一項に記載の医薬組成物。
【請求項５】
ヒトに使用されるものである、請求項１〜４のいずれか一項に記載の医薬組成物。
【請求項６】
前記自己免疫炎症性疾患が、全身性エリテマトーデス、関節リウマチ（ＲＡ）、多発性硬化症（ＭＳ）、乾癬、及び炎症性腸疾患からなる群より選択される、請求項１〜５のいずれか一項に記載の医薬組成物。
【請求項７】
前記がんが、ＣＤ１４７の過剰発現によおて特徴付けられる、請求項１〜５のいずれか一項に記載の医薬組成物。
【請求項８】
前記がんが、乳がん、前立腺がん、肺がん、脳腫瘍、卵巣がん、結腸直腸がん、膵臓がん、腎臓がん、皮膚がん、肝臓がん、頭頸部がん、消化器がん、口腔癌及び白血病からなる群より選択される、請求項１〜５のいずれか一項に記載の医薬組成物。
【請求項９】
前記病態が、骨関節炎、骨粗鬆症、歯周病、骨巨細胞腫、及び慢性閉塞性肺疾患に関連する骨量減少からなる群より選択される、請求項１〜５のいずれか一項に記載の医薬組成物。
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
IL-12を含む、被験体における皮膚創傷の治療において使用するための医薬組成物であって、前記使用が皮膚創傷にIL-12を投与することを含む、前記医薬組成物。
【請求項２】
投与が局所、皮下、筋肉内又はその任意の組合せである、請求項１記載の医薬組成物。
【請求項３】
被験体がヒトである、請求項１記載の医薬組成物。
【請求項４】
IL-12が、1ng/mL〜10μg/mL、10ng/mL〜5μg/mL又は100ng/mLの用量で局所投与される、請求項１記載の医薬組成物。
【請求項５】
IL-12が、10ng/kg〜500ng/kg又は80ng/kgの用量で皮下投与される、請求項１記載の医薬組成物。
【請求項６】
IL-12の投与が、IL-12投与の非存在下で観察される創傷閉鎖と比較して、
(a) 創傷閉鎖により測定された場合の創傷治癒の少なくとも5％の増加、
(b) 創傷閉鎖により測定された場合の創傷治癒の少なくとも20％の増加、
(c) 創傷閉鎖により測定された場合の創傷治癒の少なくとも50％の増加、
(d) 創傷閉鎖により測定された場合の創傷治癒の少なくとも75％の増加、又は、
(e) 創傷閉鎖により測定された場合の創傷治癒の少なくとも95％の増加、
をもたらす、請求項１〜５のいずれか１項記載の医薬組成物。
【請求項７】
被験体が皮膚創傷をもたらす放射線に曝露されている、請求項１〜６のいずれか１項記載の医薬組成物。
【請求項８】
IL-12が、皮膚創傷をもたらす放射線への曝露後1時間〜24時間までに投与される、請求項７記載の医薬組成物。
【請求項９】
被験体が通常の皮膚創傷治癒に対する障害を特徴とする患者集団の一員である、請求項１〜８のいずれか１項記載の医薬組成物。
【請求項１０】
被験体が糖尿病である、請求項９記載の医薬組成物。
【請求項１１】
皮膚創傷が熱傷である、請求項１〜１０のいずれか１項記載の医薬組成物。
【請求項１２】
皮膚創傷が手術部位に存在する、請求項１〜１０のいずれか１項記載の医薬組成物。
【請求項１３】
IL-12が皮膚移植片と共に投与される、請求項１〜１２のいずれか１項記載の医薬組成物。
【請求項１４】
IL-12が無細胞性又は細胞性真皮マトリックスと共に投与される、請求項１〜１３のいずれか１項記載の医薬組成物。
【請求項１５】
IL-12が、等張性4％カルボキシメチルセルロース等のゲルマトリックス中で乳化される、請求項１〜１４のいずれか１項記載の医薬組成物。
【手続補正２】
【補正対象書類名】明細書
【補正対象項目名】００９６
【補正方法】変更
【補正の内容】
【００９６】
本発明の精神または範囲から逸脱することなく、本発明の方法および組成物において様々な改変および変更を行うことができることが当業者には明らかであろう。かくして、本発明は、本発明の改変および変更が添付の特許請求の範囲およびその等価物の範囲内にあるという条件で、それらを包含することが意図される。
以下に、本発明の実施形態を示す。
（１）皮膚創傷にIL-12を投与することを含む、被験体における皮膚創傷の治療方法。
（２）投与が局所、皮下、筋肉内、またはその任意の組合せである、（１）に記載の方法。
（３）被験体がヒトである、（１）に記載の方法。
（４）IL-12が局所投与される、（３）に記載の方法。
（５）IL-12が約1ng/mL〜約10μg/mLの用量で局所投与される、（４）に記載の方法。
（６）IL-12が約10ng/mL〜約5μg/mLの用量で局所投与される、（４）に記載の方法。
（７）IL-12が約100ng/mLの用量で局所投与される、（４）に記載の方法。
（８）IL-12が皮下投与される、（３）に記載の方法。
（９）IL-12が約10ng/kg〜約500ng/kgの用量で皮下投与される、（８）に記載の方法。
（１０）IL-12が約80ng/kgの用量で皮下投与される、（８）に記載の方法。
（１１）IL-12の投与が、IL-12投与の非存在下で観察される創傷閉鎖と比較して、創傷閉鎖により測定された場合の創傷治癒の少なくとも約5％の増加をもたらす、（１）〜（１０）のいずれか１に記載の方法。
（１２）IL-12の投与が、IL-12投与の非存在下で観察される創傷閉鎖と比較して、創傷閉鎖により測定された場合の創傷治癒の少なくとも約20％の増加をもたらす、（１）〜（１０）のいずれか１に記載の方法。
（１３）IL-12の投与が、IL-12投与の非存在下で観察される創傷閉鎖と比較して、創傷閉鎖により測定された場合の創傷治癒の少なくとも約50％の増加をもたらす、（１）〜（１０）のいずれか１に記載の方法。
（１４）IL-12の投与が、IL-12投与の非存在下で観察される創傷閉鎖と比較して、創傷閉鎖により測定された場合の創傷治癒の少なくとも約75％の増加をもたらす、（１）〜（１０）のいずれか１に記載の方法。
（１５）IL-12の投与が、IL-12投与の非存在下で観察される創傷閉鎖と比較して、創傷閉鎖により測定された場合の創傷治癒の少なくとも約95％の増加をもたらす、（１）〜（１０）のいずれか１に記載の方法。
（１６）被験体が皮膚創傷をもたらす放射線に曝露されている、（１）〜（１５）のいずれか１に記載の方法。
（１７）IL-12が、皮膚創傷をもたらす放射線への曝露後約1時間〜約24時間までに投与される、（１６）に記載の方法。
（１８）被験体が通常の皮膚創傷治癒に対する障害を特徴とする患者集団の一員である、（１）〜（１５）のいずれか１に記載の方法。
（１９）被験体が糖尿病である、（１８）に記載の方法。
（２０）皮膚創傷が熱傷である、（１）〜（１５）のいずれか１に記載の方法。
（２１）皮膚創傷が手術部位に存在する、（１）〜（１５）のいずれか１に記載の方法。
（２２）IL-12が皮膚移植片と共に投与される、（１）〜（２１）のいずれか１に記載の方法。
（２３）IL-12が無細胞性または細胞性真皮マトリックスと共に投与される、（１）〜（２２）のいずれか１に記載の方法。
（２４）IL-12がゲルマトリックス中で乳化される、（１）〜（２３）のいずれか１に記載の方法。
（２５）ゲルマトリックスが等張性4％カルボキシメチルセルロースである、（２４）に記載の方法。
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
以下の式の化合物：
【化１】
2014517034.tif 000001
（式中、
ｎは０または１であり、
ｍは１または２であり、
Ｒ１およびＲ２は水素、−ＣＨ３、および−ＣＨ２ＣＨ３から独立して選択され、
Ｒ３は−ＣＮであり、
Ｒ４は各場合において−Ｆ、−Ｃｌ、−Ｂｒ、−ＣＨ３、および−ＯＣＨ３から独立して選択される）
またはその薬学的に許容可能な塩。
【請求項２】
以下の式の化合物：
【化２】
2014517034.tif 000002
（式中、
ｎは０、１、または２であり、
ｍは１または２であり、
Ｒ１およびＲ２は水素および−ＣＨ３から独立して選択され、
Ｒ３は−Ｆまたは−Ｃｌであり、
Ｒ４は各場合において−Ｆ、−Ｃｌ、−Ｂｒ、−ＣＨ３、および−ＣＦ３から独立して選択される）
またはその薬学的に許容可能な塩。
【請求項３】
以下の式の化合物：
【化３】
2014517034.tif 000003
（式中、
ｎは０または１であり、
Ｒ１およびＲ２は水素および−ＣＨ３から独立して選択され、
Ｒ３は水素、−ＣＮ、−Ｃｌ、−ＯＣＨ３、または−ＣＨ３であり、
Ｒ４は各場合において−Ｆ、−ＣＨ３、および−ＯＣＨ３から独立して選択される）
またはその薬学的に許容可能な塩。
【請求項４】
ｍが１であり、Ｒ１およびＲ２が−ＣＨ３であり、Ｒ３が−ＣＮであり、ｎが０または１であり、Ｒ４が−Ｆである、請求項１に記載の化合物、あるいはその薬学的に許容可能な塩。
【請求項５】
前記化合物が、４−（６，６−ジメチル−４，５−ジヒドロ−１Ｈ−シクロペンタ［ｃ］ピラゾール−４−イル）ベンゾニトリル：
【化４】
2014517034.tif 000004
である、請求項１または４のいずれかに記載の化合物、あるいはその薬学的に許容可能な塩。
【請求項６】
前記化合物が、４−［（４Ｒ）−（６，６−ジメチル−４，５−ジヒドロ−１Ｈ−シクロペンタ［ｃ］ピラゾール−４−イル）］ベンゾニトリル：
【化５】
2014517034.tif 000005
である、請求項５に記載の化合物、またはその薬学的に許容可能な塩。
【請求項７】
前記化合物が、４−［（４Ｒ）−（６，６−ジメチル−４，５−ジヒドロ−１Ｈ−シクロペンタ［ｃ］ピラゾール−４−イル）］ベンゾニトリル：
【化６】
2014517034.tif 000006
である、請求項６に記載の化合物。
【請求項８】
前記化合物が、４−（６，６−ジメチル−４，５−ジヒドロ−１Ｈ−シクロペンタ［ｃ］ピラゾール−４−イル）−３−フルオロ−ベンゾニトリル：
【化７】
2014517034.tif 000007
である、請求項１または４のいずれかに記載の化合物、あるいはその薬学的に許容可能な塩。
【請求項９】
前記化合物が、４−（６，６−ジメチル−４，５−ジヒドロ−１Ｈ−シクロペンタ［ｃ］ピラゾール−４−イル）−３−フルオロ−ベンゾニトリル：
【化８】
2014517034.tif 000008
である、請求項８に記載の化合物。
【請求項１０】
請求項１〜９のいずれかに記載の化合物、またはその薬学的に許容可能な塩と、１種以上の薬学的に許容可能な担体、希釈剤、または賦形剤とを含む、医薬組成物。
【請求項１１】
療法に使用するための請求項１〜９のいずれかに記載の化合物、またはその薬学的に許容可能な塩。
【請求項１２】
慢性腎疾患の治療に使用するための請求項１〜９のいずれかに記載の化合物、またはその薬学的に許容可能な塩。
【請求項１３】
糖尿病性腎症の治療に使用するための請求項１２に記載の化合物、またはその薬学的に許容可能な塩。
【請求項１４】
慢性腎疾患を治療するための医薬の製造に使用するための請求項１〜９のいずれかに記載の化合物、またはその薬学的に許容可能な塩。
【請求項１５】
糖尿病性腎症を治療するための医薬の製造に使用するための請求項１〜９のいずれかに記載の化合物、またはその薬学的に許容可能な塩。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
コンピュータデバイスでパノラマ画像データを受け取る工程と、
パノラマ画像の一部をリアルタイムで見る工程と、
ユーザ入力及び／又はコンピュータデバイスの向きに対応して、視像の領域を変更する工程と、を含む方法。
【請求項２】
ユーザ入力は、タッチによるパン、チルト、及び／又はズームを含む、並びに／或いは、コンピュータデバイスの向きが、パン、チルト、及び／又は向きに基づくロール補正を実施するために用いられる、請求項１に記載の方法。
【請求項３】
ユーザのタッチの接触開始点が、パン／チルト座標にマップされて、ドラッグの間、パン／チルト調整量が計算されて、ユーザの指の下のパン／チルト座標が維持され、
タッチによるズームについて、ユーザのタッチによる２つの接触点が、パン／チルト座標にマップされて、角度の測値が、パン／チルト座標から、２本の接触している指の間の角度を表すために計算され、
ズームをシミュレートする視野は、ユーザがピンチイン又はピンチアウトすると調節され、動的に変化する指の位置を、初期の角度測値に合わせる、請求項１又は請求項２に記載の方法。
【請求項４】
ユーザ入力と向きは、累積的に処理される、請求項１乃至３の何れかに記載の方法。
【請求項５】
向きによるパンは、コンピュータデバイスのコンパスセンサで得られるコンパスデータ、シミュレートされたコンパス入力を与えるために恣意的な北の値にマップされるジャイロスコープデータ、及び、加速度計データのうちの１又は複数に基づく、請求項１乃至４の何れかに記載の方法。
【請求項６】
パノラマ画像の異なる部分が、初期位置のコンパスデータに対するコンパス方向データの変化により決定されて表示される、請求項５に記載の方法。
【請求項７】
重力ベクトルが、コンピュータデバイスに対して決定され、コンピュータデバイスのディスプレイ面に沿ったコンピュータデバイスに対する重力ベクトルの角度は、デバイスのチルト角度と一致する、請求項１乃至６の何れかに記載の方法。
【請求項８】
対象物の動きを検出し、追跡して、対象物の後に続く領域を表示する工程を更に含む、請求項１乃至７の何れかに記載の方法。
【請求項９】
複数のコンピュータデバイスからの１つのライブイベントにおける複数の眺めを提供する工程を更に含んでおり、
複数のコンピュータデバイスは、現在又は従前の時間の何れかにおける画像データを随意選択的に表示する、請求項１乃至８の何れかに記載の方法。
【請求項１０】
カメラに光を反射するように構成されたパノラマ光学デバイスと、
カメラからの画像データを処理して、描画画像を生成するコンピュータデバイスと、
描画画像の少なくとも一部を表示するディスプレイと、
を備えており、
表示画像が、ユーザの入力及び／又はコンピュータデバイスの向きに応じて変化する装置
【請求項１１】
ユーザ入力は、タッチによるパン、チルト、及び／又はズームを含む、並びに／或いは、コンピュータデバイスの向きが、パン、チルト、及び／又は向きに基づくロール補正を実施するために用いられる、請求項１０に記載の装置。
【請求項１２】
ユーザのタッチの接触開始点が、パン／チルト座標にマップされて、ドラッグの間、パン／チルト調整量が計算されて、ユーザの指の下のパン／チルト座標が維持され、
タッチによるズームについて、ユーザのタッチによる２つの接触点が、パン／チルト座標にマップされて、角度の測値が、パン／チルト座標から、２本の接触している指の間の角度を表すために計算され、
ズームをシミュレートする視野は、ユーザがピンチイン又はピンチアウトすると調節され、動的に変化する指の位置を、初期の角度測値に合わせる、請求項１０又は請求項１１に記載の装置。
【請求項１３】
ユーザ入力と向き入力は、累積的に処理される、請求項１０乃至１２の何れかに記載の装置。
【請求項１４】
向きによるパンがコンパスデータに基づいているコンピュータデバイスにあるコンパスセンサ、
パン、チルト、及び／又は向きに基づくロール補正を実施するために用いられるコンピュータデバイスの向き、及び
向きベースのチルトデータをもたらす加速度計
のうちの少なくとも１つを更に備えている、請求項１０乃至１３の何れかに記載の装置。
【請求項１５】
１つのライブイベントにおける複数の眺めを提供する複数のコンピュータデバイスを更に備えており、複数のコンピュータデバイスからの画像データは、現在又は従前の時間の何れかに表示される、請求項１０乃至１４の何れかに記載の装置。
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
第１の側に光出口窓を有するとともに、前記第１の側とは異なる第２の側にベースを有する筐体であって、光を伝達するキャビティ材料を具備するキャビティを囲む前記筐体であって、前記キャビティ材料は、シリコーン、シリケート、アルキルシリケート、ガラス若しくはセラミックの材料のうちの何れか１つ又は液体であっても良く、又は前記キャビティ材料は、ホールを具備するシリコーン、ガラス、又はセラミックのソリッド層である、筐体と、
前記キャビティ内に設けられ、前記ベースに結合される半導体発光体であって、前記キャビティ内へ第１の色範囲の光を発する前記半導体発光体と、
前記半導体発光体と前記光出口窓との間に光学的に配置される発光素子であって、前記第１の色範囲の光の少なくとも一部を前記第１の色範囲とは異なる第２の色範囲の光に変換するための発光材料を有する前記発光素子と、
前記キャビティ内に配置されるとともに、前記キャビティ材料の熱伝導率よりも高い熱伝導率を持つ熱伝導体であって、前記発光素子に熱的に結合されるとともに、前記ベースに熱的に結合される前記熱伝導体と、
を有する、発光モジュール。
【請求項２】
前記ベースは、前記発光モジュールをヒートシンクに熱的に結合するための熱結合面を有する、請求項１記載の発光モジュール。
【請求項３】
前記熱伝導体は、光伝達材料でできており、前記キャビティ材料に光学的に結合される、請求項１記載の発光モジュール。
【請求項４】
前記熱伝導体は、銅、アルミニウム、アルミナセラミック、窒化ホウ素セラミック、窒化アルミニウム、酸化ベリリウム、酸化亜鉛、亜鉛、及び、銀のうちの少なくとも１つでできている、請求項１記載の発光モジュール。
【請求項５】
前記キャビティに対向している前記熱伝導体の第１の表面が光反射性であるか、又は、光反射層が前記第１の表面上に設けられている、請求項１記載の発光モジュール。
【請求項６】
前記発光素子の方を向いている前記熱伝導体の第２の表面が光反射性であるか、又は、光反射層が前記第２の表面上に設けられている、請求項１記載の発光モジュール。
【請求項７】
前記ベースに平行な仮想平面に沿った前記熱伝導体の断面形状は、円、楕円、又は、六角形である、請求項１記載の発光モジュール。
【請求項８】
前記ベースは、熱伝導性プリント回路基板である、請求項１記載の発光モジュール。
【請求項９】
前記熱伝導体は、前記ベースに結合されており、及び／又は、前記熱伝導体と前記ベースとの間、及び／又は、前記熱伝導体と前記発光素子との間に熱的な結合を供給するための熱伝導性接着剤を具備する前記発光素子に結合されている、請求項１記載の発光モジュール。
【請求項１０】
前記キャビティ内での前記熱伝導体の位置が、以下の基準
（ｉ）前記半導体発光体が動作中、且つ、前記熱伝導体が利用できない場合に、前記発光素子が最も高い温度を持つ特定の位置において、前記熱伝導体が前記発光素子と接触する、
（ｉｉ）前記位置において、前記熱伝導体の長さが最小となる、
（ｉｉｉ）前記キャビティ内の前記熱伝導体の他の位置と比較して光出力が極大である、
（ｉｖ）前記光出口窓に沿った光出力が、前記キャビティ内の熱伝導体の他の位置と比較して、最大限均一である、
の少なくとも１つによって定められる、請求項１記載の発光モジュール。
【請求項１１】
前記発光モジュールは、複数の熱伝導体を有し、各熱伝導体は、前記キャビティ内に配置されるとともに、前記キャビティ材料の熱伝導率よりも高い熱伝導率を持ち、前記発光素子に熱的に結合されるとともに、前記ベースに熱的に結合される、請求項１記載の発光モジュール。
【請求項１２】
前記筐体は、前記キャビティ材料の熱伝導率よりも高い熱伝導率を持つ材料の壁であって、前記光出口窓と前記ベースとの間に挿入され、前記発光素子及び前記ベースに熱的に結合されている前記壁を有する、請求項１記載の発光モジュール。
【請求項１３】
請求項１記載の発光モジュールを有する、ランプ。
【請求項１４】
請求項１記載の発光モジュールと、請求項１３記載のランプとを有する、照明器具。
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）により緊急メッセージを処理するための方法であり、
Ｌｏｎｇ  Ｔｅｒｍ  Ｅｖｏｌｕｔｉｏｎ（ＬＴＥ）トランシーバによる高優先度通信（ＨＰＣ）アクティビティを検出するステップと；
前記ＨＰＣアクティビティに対応するために一つ以上のトランシーバに対して行われる調整を決定するステップと；
前記ＨＰＣアクティビティに対応するために前記一つ以上のトランシーバの設定を調整するステップと；
前記ＬＴＥトランシーバによる前記ＨＰＣアクティビティの終了を検出するステップと；
前記ＨＰＣアクティビティの前記終了に対応するために前記一つ以上のトランシーバの前記設定を調整するステップと
を含む、方法。
【請求項２】
前記一つ以上のトランシーバが、Ｗｉ‐Ｆｉトランシーバを含む、請求項１に記載の方法。
【請求項３】
前記一つ以上のトランシーバが、Ｂｌｕｅｔｏｏｔｈトランシーバを含む、請求項１に記載の方法。
【請求項４】
前記一つ以上のトランシーバが、Ｗｉ‐ＦｉトランシーバおよびＢｌｕｅｔｏｏｔｈトランシーバの両方を含む、請求項１に記載の方法。
【請求項５】
前記ＨＰＣアクティビティに対応するために前記一つ以上のトランシーバの前記設定を調整するステップが、前記一つ以上のトランシーバの一つ以上の電力増幅器をオフにするステップを含む、請求項１に記載の方法。
【請求項６】
前記ＨＰＣアクティビティに対応するために前記一つ以上のトランシーバの前記設定を調整するステップが、前記一つ以上のトランシーバをオフにするために前記一つ以上のトランシーバのコントローラに論理コマンドを送信するステップを含む、請求項１に記載の方法。
【請求項７】
前記ＨＰＣアクティビティに対応するために前記一つ以上のトランシーバに対して行われる調整を決定するステップが、製造業者により設定された構成を決定するステップを含む、請求項１に記載の方法。
【請求項８】
緊急メッセージを処理するために構成されたユーザ機器（ＵＥ）であり、
プロセッサと；
前記プロセッサと電子通信するメモリと；
前記メモリに記憶された命令であり、
Ｌｏｎｇ  Ｔｅｒｍ  Ｅｖｏｌｕｔｉｏｎ（ＬＴＥ）トランシーバによる高優先度通信（ＨＰＣ）アクティビティを検出し；
前記ＨＰＣアクティビティに対応するために一つ以上のトランシーバに対して行われる調整を決定し；
前記ＨＰＣアクティビティに対応するために前記一つ以上のトランシーバの設定を調整し；
前記ＬＴＥトランシーバによる前記ＨＰＣアクティビティの終了を検出し；
前記ＨＰＣアクティビティの前記終了に対応するために前記一つ以上のトランシーバの前記設定を調整する
ために実行可能である、前記命令と
を含む、ユーザ機器（ＵＥ）。
【請求項９】
前記一つ以上のトランシーバが、Ｗｉ‐Ｆｉトランシーバを含む、請求項８に記載のＵＥ。
【請求項１０】
前記一つ以上のトランシーバが、Ｂｌｕｅｔｏｏｔｈトランシーバを含む、請求項８に記載のＵＥ。
【請求項１１】
前記一つ以上のトランシーバが、Ｗｉ‐ＦｉトランシーバとＢｌｕｅｔｏｏｔｈトランシーバの両方を含む、請求項８に記載のＵＥ。
【請求項１２】
前記ＨＰＣアクティビティに対応するために前記一つ以上のトランシーバの前記設定を調整するために実行可能な前記命令が、前記一つ以上のトランシーバの一つ以上の電力増幅器をオフにするために実行可能な命令を含む、請求項８に記載のＵＥ。
【請求項１３】
前記ＨＰＣアクティビティに対応するために前記一つ以上のトランシーバの前記設定を調整するために実行可能な前記命令が、前記一つ以上のトランシーバをオフにするために前記一つ以上のトランシーバのコントローラに論理コマンドを送信するために実行可能な命令を含む、請求項８に記載のＵＥ。
【請求項１４】
前記ＨＰＣアクティビティに対応するために前記一つ以上のトランシーバに対して行われる調整を決定するために実行可能な前記命令が、製造業者により設定された構成を決定するために実行可能な命令を含む、請求項８に記載のＵＥ。
【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
ビデオ信号を符号化する符号器であって、
少なくとも1つの画像を有するビデオ信号を受信するための受信機、
前記少なくとも１つの画像のうちの少なくとも１つの画像輝度測度に応じて前記少なくとも１つの画像のうちの第1画像の少なくとも一部のためのアイグレア推定値である光幕輝度推定値を決定するための推定器、
前記光幕輝度推定値に応じて前記第１画像の前記少なくとも一部のための量子化方式を決定するための量子化アダプタ、
前記第１画像の前記少なくとも一部のための前記量子化方式を用いて前記ビデオ信号を符号化するための符号化ユニット、
を有する符号器。
【請求項２】
前記量子化方式が、前記光幕輝度推定値のための均一知覚輝度量子化方式を表す、請求項１に記載の符号器。
【請求項３】
前記量子化アダプタが、
知覚輝度ドメインにおける均一量子化方式を決定し、
前記光幕輝度推定値に応じて知覚輝度値を表示値に関連付けるマッピング関数を決定し、
前記知覚輝度ドメインにおける前記均一量子化方式及び前記マッピング関数に応じて表示値のための量子化方式を決定する、請求項１又は請求項２に記載の符号器。
【請求項４】
表示値のための不均一量子化方式の量子化間隔が、前記知覚輝度ドメインにおける前記均一量子化方式より少ない量子化レベルを有する、請求項３に記載の符号器。
【請求項５】
表示値のための不均一量子化方式の量子化間隔遷移が、前記マッピング関数による前記知覚輝度ドメインにおける前記均一量子化方式の量子化間隔遷移に対応する、請求項３に記載の符号器。
【請求項６】
前記推定器が、前記第１画像の少なくともある画像領域のための平均輝度に応じて前記光幕輝度推定値を生成するように用意される、請求項１から請求項３のいずれか一項に記載の符号器。
【請求項７】
前記推定器が、前記平均輝度のスケーリングとして前記光幕輝度推定値を決定するように用意される、請求項６に記載の符号器。
【請求項８】
前記推定器が、連続する画像の一部における輝度の重み付き平均として前記光幕輝度推定値を決定するように用意される、請求項１から請求項３のいずれか一項に記載の符号器。
【請求項９】
前記重み付き平均が、2Hz以下の3dBカットオフ周波数を持つ時間フィルタを実行する、請求項８に記載の符号器。
【請求項１０】
前記重み付き平均が、前記光幕輝度推定値の減少に対してよりも、前記光幕輝度推定値の増加に対して速い適応によって、非対称である、請求項８又は請求項９に記載の符号器。
【請求項１１】
前記符号化ユニットが、符号化された出力信号に前記光幕輝度推定値の指標を含めるように用意される、請求項１に記載の符号器。
【請求項１２】
前記量子化方式が第1画像領域に対して決定され、前記光幕輝度推定値が第２画像領域に対して決定される、請求項１に記載の符号器。
【請求項１３】
前記第１画像領域が平均より低い輝度を持つ画像領域であり、前記第２画像領域が平均より高い輝度を持つ画像領域である、請求項１２に記載の符号器。
【請求項１４】
少なくとも1つの画像を有する符号化されたビデオ信号を復号するための復号器であって、
前記符号化されたビデオ信号を受信するための受信機であって、前記符号化されたビデオ信号は、前記少なくとも１つの画像のうちの第1画像の少なくとも一部のためのアイグレア推定値である光幕輝度推定値を有する受信機、
前記光幕輝度推定値に応じて第１画像の前記少なくとも一部のための逆量子化方式を決定するための逆量子化アダプタ、及び
前記第１画像の前記少なくとも一部のための前記逆量子化方式を用いて前記符号化されたビデオ信号を復号するための復号ユニット、
を有する復号器。
【請求項１５】
ビデオ信号を符号化する方法であって、
少なくとも1つの画像を有するビデオ信号を受信し、
前記少なくとも１つの画像のうちの少なくとも１つの画像輝度測度に応じて前記少なくとも１つの画像のうちの第1画像の少なくとも一部のためのアイグレア推定値である光幕輝度推定値を決定し、
前記光幕輝度推定値に応じて前記第１画像の前記少なくとも一部のための量子化方式を決定し、
前記第１画像の前記少なくとも一部のための前記量子化方式を用いて前記ビデオ信号を符号化する、方法。
【請求項１６】
少なくとも1つの画像を有する符号化されたビデオ信号を復号する方法であって、
前記少なくとも１つの画像のうちの第1画像の少なくとも一部のためのアイグレア推定値である光幕輝度推定値を有する前記符号化されたビデオ信号を受信し、
前記光幕輝度推定値に応じて前記第１画像の前記少なくとも一部のための逆量子化方式を決定し、及び
前記第１画像の前記少なくとも一部のための前記逆量子化方式を用いて前記符号化されたビデオ信号を復号する、方法。
【請求項１７】
コンピュータで実行されたときに当該コンピュータに請求項１５又は請求項１６に記載の方法を実行させるコンピュータプログラム。
【請求項１８】
コンピュータ可読媒体に記録された請求項１７に記載のコンピュータプログラム。